(57)【特許請求の範囲】
【請求項１】
移動通信端末のタッチ感知型スクリーン上でＧＵＩポインタを管理する方法であって、
ユーザーが前記スクリーン上の第１のタッチポイントで前記スクリーンをタッチすることに応答して、前記スクリーン上の前記第１のタッチポイントから第１の距離だけ離れた第１の表示ポイントにポインタを表示するステップと、
前記ユーザーが第２のタッチポイントで前記スクリーンをタッチすることによって前記第１の表示ポイントに表示された前記ポインタを前記第２のタッチポイントからおおよそ前記第１の距離だけ離れた第２の表示ポイントに移動させるステップと、
前記ユーザーが前記第２のタッチポイントでタッピングすることにより、前記第２の表示ポイントに表示されたポインタを第３の表示ポイントに移動させるステップと、
を含むことを特徴とするＧＵＩポインタを管理する方法。
【請求項２】
前記第２の表示ポイントに移動させるステップは、前記ユーザーが前記スクリーン上のタッチポイントを前記第１のタッチポイントから前記第２のタッチポイントにスライディングさせることにより、前記第１の表示ポイントに表示された前記ポインタを前記第２の表示ポイントにドラッグすることを含むこと特徴とする請求項１に記載のＧＵＩポインタを管理する方法。
【請求項３】
前記第３の表示ポイントに移動させるステップは、前記第２の表示ポイントに表示されたポインタを前記第２のタッチポイント周りに回転移動させることを含むことを特徴とする請求項１又は２に記載のＧＵＩポインタを管理する方法。
【請求項４】
前記ユーザーがスクリーンタッチを中止することに応答して、前記ポインタ付近の表示オブジェクトを選択するステップをさらに含むことを特徴とする請求項１〜３のいずれか一つに記載のＧＵＩポインタを管理する方法。
【請求項５】
前記ユーザーによるＧＵＩメニューの選択動作に応答して、前記ポインタ付近の表示オブジェクトを選択するステップをさらに含むことを特徴とする請求項１〜３のいずれか一つに記載のＧＵＩポインタを管理する方法。
【請求項６】
前記ユーザーが前記移動通信端末のポインティングデバイスを用いてインタラクトする動作に応答して、前記ポインタ付近の表示オブジェクトを選択するステップをさらに含むことを特徴とする請求項１〜３のいずれか一つに記載のＧＵＩポインタを管理する方法。
【請求項７】
前記ポインティングデバイスは、ジョイスティック、タッチパッド及び前記移動通信端末のキーパッド上のキーの中で少なくとも一つを含むことを特徴とする請求項６に記載のＧＵＩポインタを管理する方法。
【請求項８】
移動通信端末のタッチ感知型スクリーン上でＧＵＩポインタを管理するシステムであって、
ユーザーが前記スクリーン上の第１のタッチポイントで前記スクリーンをタッチすることに応答して、前記スクリーン上の前記第１のタッチポイントから第１の距離だけ離れた第１の表示ポイントにポインタを表示させる論理回路を含み、
前記論理回路は、
前記ユーザーが第２のタッチポイントで前記スクリーンをタッチすることによって前記第１の表示ポイントに表示された前記ポインタを前記第２のタッチポイントからおおよそ前記第１の距離だけ離れた第２の表示ポイントに移動させ、
前記ユーザーが前記第２のタッチポイントでタッピングすることにより、前記第２の表示ポイントに表示されたポインタを第３の表示ポイントに移動させることを特徴とするＧＵＩポインタを管理するシステム。
【請求項９】
前記論理回路は、前記ユーザーが前記スクリーン上のタッチポイントを前記第１のタッチポイントから前記第２のタッチポイントにスライディングさせることにより、前記第１の表示ポイントに表示された前記ポインタを前記第２の表示ポイントにドラッグすることを特徴とする請求項８に記載のＧＵＩポインタを管理するシステム。
【請求項１０】
前記論理回路は、前記ユーザーが前記第２のタッチポイントでタッピングすることにより、前記第２の表示ポイントに表示されたポインタを前記第２のタッチポイント周りに回転移動させることを特徴とする請求項８又は９に記載のＧＵＩポインタを管理するシステム。
【請求項１１】
前記論理回路は、前記ユーザーがスクリーンタッチを中止することに応答して、前記ポインタ付近の表示オブジェクトを選択することを特徴とする請求項８〜１０のいずれか一つに記載のＧＵＩポインタを管理するシステム。
【請求項１２】
前記論理回路は、前記ユーザーによるＧＵＩメニューの選択動作に応答して、前記ポインタ付近の表示オブジェクトを選択することを特徴とする請求項８〜１０のいずれか一つに記載のＧＵＩポインタを管理するシステム。
【請求項１３】
前記論理回路は、前記ユーザーが前記移動通信端末のポインティングデバイスを用いてインタラクトする動作に応答して、前記ポインタ付近の表示オブジェクトを選択することを特徴とする請求項８〜１０のいずれか一つに記載のＧＵＩポインタを管理するシステム。
【発明の詳細な説明】
【技術分野】
【０００１】
本明細書は２００６年５月２３日に出願した大韓民国特許出願第１０-２００６-００４６０６４号の優先権の利益を主張し、本明細書の参考文献として全部引用される。
【０００２】
本発明は、制限された表示移動端末のタッチスクリーンディスプレイ上に表示される項目を選択するための方法に係り、よく詳しくは、移動端末のタッチ感知型スクリーン上でのポインタの移動を制御するための方法及びシステムに関する。
【背景技術】
【０００３】
最近、タッチスクリーンタイプのディスプレイが具備された改善された移動通信端末が開発および導入されている。移動通信端末の機能が一層複雑で多様化することによって、移動通信端末のディスプレイ上に表示されるアイコンの数が増加しており、表示される各アイコンのサイズが小さくなっている。
そして、上述したタッチスクリーンが具備された移動通信端末のユーザーは、スタイラスペンを使わなくては複数のアイコンの中で希望するアイコンを選択することが難しい。これはユーザーが指を使用して希望するアイコンを選択しようとする時特に不便である。
【０００４】
このため、このような問題点を解決することができるシステム及び方法が要求されている。
【発明の開示】
【発明が解決しようとする課題】
【０００５】
したがって、本発明は上述したような従来技術の問題点を解決するためになされたもので、その目的は、移動通信端末のタッチ感知型スクリーン上でＧＵＩポインタを管理する方法およびシステムを提供することにある。
【課題を解決するための手段】
【０００６】
前記目的を達成するための本発明による移動通信端末のタッチ感知型スクリーン上でＧＵＩポインタを管理する方法は、ユーザーがスクリーン上の第１のタッチポイントでスクリーンをタッチすることに応答して、スクリーン上の前記第１のタッチポイントから第１の距離だけ離れた第１の表示ポイントにポインタを表示するステップと、前記ユーザーが第２のタッチポイントで前記スクリーンをタッチすることによって前記第１の表示ポイントに表示された前記ポインタを前記第２のタッチポイントからおおよそ前記第１の距離だけ離れた第２の表示ポイントに移動させるステップと、前記ユーザーが前記第２のタッチポイントでタッピングすることにより、前記第２の表示ポイントに表示されたポインタを第３の表示ポイントに移動させるステップと、を含む。
【０００７】
本発明の一実施形態では、前記第２の表示ポイントに移動させるステップは、前記ユーザーが前記スクリーン上のタッチポイントを前記第１のタッチポイントから前記第２のタッチポイントにスライディングさせることにより、前記第１の表示ポイントに表示された前記ポインタを前記第２の表示ポイントにドラッグすることを含む。
【０００９】
他の実施形態では、前記第３の表示ポイントに移動させるステップは、前記第２の表示ポイントに表示されたポインタを前記第２のタッチポイント周りに回転移動させることを含む。前記ユーザーがスクリーンタッチを中止することに応答して、前記ポインタ付近の表示オブジェクトを選択するステップをさらに含んでもよい。
【００１０】
具現方式によって、ユーザーによるＧＵＩメニューの選択動作に応答して、前記ポインタ付近の表示オブジェクトを選択するステップをさらに含んでもよいし、またユーザーが移動通信端末のポインティングデバイスを用いてインタラクトする動作に応答して、前記ポインタ付近の表示オブジェクトを選択するステップをさらに含んでもよい。ポインティングデバイスは、ジョイスティック、タッチパッド及び移動通信端末のキーパッド上のキーの中で少なくとも一つであることができる。
【００１１】
他の実施形態によれば、移動通信端末のディスプレイスクリーン上でＧＵＩオブジェクトを選択する方法が提供される。この方法は、ユーザーがディスプレイスクリーン上の第１のタッチポイントでディスプレイスクリーンをタッチすることに応答して、第１の表示ポイントでディスプレイスクリーン上にポインタを表示するステップと、第２のタッチポイントでディスプレイスクリーンをタッチすることによってディスプレイスクリーン上のＧＵＩオブジェクト付近にポインタを移動させるステップと、を含む。第１の表示ポイントは第１のタッチポイントから第１の距離だけ離れている。
【００１２】
一実施形態で、この方法は、ＧＵＩオブジェクトから第１の距離ほど離れた所にポインタが表示されるときに、ＧＵＩオブジェクトを選択するステップ、及び/または第１のタッチポイントにおけるディスプレイスクリーンのタッチを中止することに応答してＧＵＩオブジェクトを選択するステップをさらに含む。第１の方式で第２のタッチポイントでディスプレイスクリーンをタッチする動作は、ポインタ付近の一番近いＧＵＩオブジェクトにポインタを移動させる。第１の方式でタッチする動作は、所定時間の間スクリーンをタッピングまたは連続してタッチする動作である。
【００１３】
また、他の実施形態によれば、移動通信端末のディスプレイスクリーン上でＧＵＩオブジェクトを選択するためのシステムが提供される。このシステムは、ユーザーがディスプレイスクリーン上の第１のタッチポイントでディスプレイスクリーンをタッチすることに応答して、ディスプレイスクリーン上にポインタを表示するための論理部と、ユーザーが第２のタッチポイントでディスプレイスクリーンをタッチすることに応答して、ポインタをディスプレイスクリーン上のＧＵＩオブジェクト付近に移動させるための論理部と、を含む。前記第１のタッチポイントはスクリーン上のポインタの表示位置から第１の距離だけ離れている。
【００１４】
このようなシステムは、ＧＵＩオブジェクトから第１の距離だけ離れた所にポインタが表示されるときに、または第２のタッチポイントでディスプレイスクリーンのタッチが中止されることに応答して、ＧＵＩオブジェクトを選択する論理部をさらに含むことができる。一実施形態で、第１の方式で第２のタッチポイントでディスプレイスクリーンをタッチする動作はポインタをポインタ付近の一番近いＧＵＩオブジェクトに移動させる。
【００１５】
他の実施形態によれば、移動通信端末のタッチ感知型スクリーン上でＧＵＩポインタを管理するためのシステムが提供される。このシステムは、ユーザーがスクリーン上の第１のタッチポイントでスクリーンをタッチすることに応答して、前記スクリーン上の前記第１のタッチポイントから第１の距離だけ離れた第１の表示ポイントにポインタを表示させる論理部を含み、前記論理回路は、前記ユーザーが第２のタッチポイントで前記スクリーンをタッチすることによって前記第１の表示ポイントに表示された前記ポインタを前記第２のタッチポイントからおおよそ前記第１の距離だけ離れた第２の表示ポイントに移動させ、前記ユーザーが前記第２のタッチポイントでタッピングすることにより、前記第２の表示ポイントに表示されたポインタを第３の表示ポイントに移動させる。
【００１６】
本発明に係る前述した課題を解決するための手段の説明と後述する実施形態の説明は、例示であり、説明目的のものであり、本発明のさらなる説明を提供することを意図していることを理解すべきである。
【発明の効果】
【００１７】
本発明によるアイテム選択方法及びこれを具現化する端末は、ユーザーがスタイラスペンを使わなくても、タッチスクリーンに表示される多様な小型アイテムの中で希望するアイテムを容易に選択可能にする。したがって、移動通信端末の小型アイテムを選択可能とするスタイラスペンを携帯しなくても、ユーザーはタッチスクリーンに表示されるすべてのアイテムの中で希望するアイテムを、指を使用して容易に選択することができる。
【００１８】
本発明は、タッチスクリーンディスプレイに適用されることを例として説明したが、本発明の範囲は上述の例に制限されない。したがって、本明細書の原理と概念は、他の情況にも適用できる。例えば、カーソルが特定アイテムに位置すると、該当特定アイテムがハイライトされて、ユーザーはハイライトされたアイテムを参照することでどのアイテムが選択されたかを視覚的に認識することができる。
【発明を実施するための最良の形態】
【００１９】
以下、移動電話などの移動通信端末に適用できる例について説明する。しかし、本発明の範囲は、以下の例示的な実施形態に限定されることではない。説明される原理と利点はＰＤＡ(Ｐｅｒｓｏｎａｌ Ｄｉｇｉｔａｌ Ａｓｓｉｓｔａｎｔｓ)、ゲーム装置及びＫＩＯＳＫ端末(例えば、ＡＴＭ(Ａｕｔｏｍａｔｉｃ Ｔｅｌｌｅｒ Ｍａｃｈｉｎｅｓ))などの他の装置にも適用することができる。
【００２０】
図１に示すように、一実施形態による移動通信端末１００は、メモリー部１１０と、タッチスクリーン１２０と、入力部１３０と、ＲＦ(Ｒａｄｉｏ Ｆｒｅｑｕｅｎｃｙ)部１４０と、マルチメディア再生部１５０と、制御部１６０と、を含む。このような移動通信端末は、上述した構成要素だけでなく他の構成要素(例えば、カメラなど)を含むことができる。
【００２１】
メモリー部１１０は、移動端末１００に対する複数の機能を駆動するためのソフトウェアプログラムと関連データ(例えば、ＭＰ３ファイル、画像ファイル、動画像ファイル、文書ファイル、電話帳、通話送受信リスト、ＳＭＳ送受信メッセージリスト、Ｅ−Ｍａｉｌリスト及びＭＭＳ(Ｍｕｌｔｉｍｅｄｉａ Ｍｅｓｓａｇｅ Ｓｅｒｖｉｃｅ)メッセージリストなど)を保存する。
【００２２】
タッチスクリーン１２０は、多様な機能を実行するための多様なアイコン(例えば、ＭＰ３ファイルアイコン、動画ファイルアイコン、画像ファイルアイコン、文書ファイルアイコン及びプログラム実行アイコンなど)を表示する。また、タッチスクリーン１２０は電話番号簿、通話送受信リスト及びＳＭＳ送受信メッセージリストなどを表示する。以下、上述した各アイコンまたは各リストは「アイテム(ｉｔｅｍ)」と称する。
【００２３】
上述したタッチスクリーン１２０は、静電容量方式、抵抗性オーバレイ方式、赤外線ビーム方式、表面弾性波方式、統合ストレインゲージ方式、圧電方式及びこれと等価の機能の中で少なくとも一つで構成することができる。タッチスクリーン１２０は、ユーザーが表示された多様なアイコンの中で希望するアイコンを選択することができるようにし、移動通信端末１００に命令語及び/または情報を入力するための入力部としての役割をする。
【００２４】
移動通信端末１００は、上述のタッチスクリーン１２０以外に付加的な入力部１３０(例えば、キーパッド、タッチホイール、タッチパッド及び音声認識装置など)を含むことができる。ＲＦ部１４０は、多様なＲＦ信号を処理して移動通信端末１００が音声呼出サービスまたはＳＭＳサービスを通じて外部装置と通信できるようにする。
【００２５】
マルチメディア再生部１５０は、多様なマルチメディア情報が移動通信端末１００により再生できるようにする。「マルチメディア再生(ｍｕｌｔｉｍｅｄｉａ ｐｌａｙｂａｃｋ)」という用語は、大韓民国の地上波/衛星波ＤＭＢ(Ｄｉｇｉｔａｌ Ｍｕｌｔｉｍｅｄｉａ Ｂｒｏａｄｃａｓｔｉｎｇ)サービス、アメリカのＭｅｄｉａＦｌｏ(Ｍｅｄｉａ Ｆｏｒｗａｒｄ Ｌｉｎｋ Ｏｎｌｙ)サービス及びヨーロッパのＤＶＢ-Ｈ(Ｄｉｇｉｔａｌ Ｖｉｄｅｏ Ｂｒｏａｄｃａｓｔｉｎｇ-Ｈａｎｄｈｅｌｄ)サービスなどに基礎する多様な動画ファイル及び音楽ファイルと多様な放送プログラムが受信されて表示される(再生される)ことを示す。
【００２６】
したがって、一実施形態によるマルチメディア再生部１５０は移動放送データを受信／再生することができる構成要素を含む。また、マルチメディア再生部１５０は、制御部１６０に含まれてもよい。制御部１６０は、メモリー部１１０、タッチスクリーン１２０、入力部１３０、ＲＦ部１４０及びマルチメディア再生部１５０を含む移動端末のすべての動作を制御する。制御部１６０は一実施形態による移動通信端末１００に具現されるアイテム選択方法を制御する。
【００２７】
以下、本発明による好ましい第１の実施形態について、図２Ａ乃至図２Ｄ及び図３を参照して説明する。図２Ａ乃至図２Ｄは、アイテム選択方式と関連して移動通信端末に表示されるイメージである。図３は、第１の実施形態によるアイテム選択方法を示すフローチャートである。
【００２８】
図２Ａに示すように、移動通信端末１００のタッチスクリーン１２０は、イコライザー領域１２３と、ＭＰ３音楽ファイル再生領域１２５と、ＭＰ３音楽ファイルリスト領域１２７と、を含む。第１の実施形態によって、「Ｇｏｏｄｂｙｅ」という題目のアイテム(以下、「ターゲット音楽アイテム」と称する)を選択する方法を説明する。
【００２９】
好ましい第１の実施形態によるアイテム選択方式を具現するためには、タッチスクリーンのカーソルにより希望するアイテムが選択できるように環境設定データをあらかじめ設定することが好ましい。図３に示すように、移動通信端末１００のユーザーが指を使用してタッチスクリーン１２０の所定ポイントをタッチする(ステップＳ３１０)。好ましくは、ユーザーが選択されたポイントに対応するアイテムを選択すれば、選択されたポイントに対応するアイテムを選択しないように環境設定データが設定される。
【００３０】
図２Ｂを参照すれば、タッチスクリーン１２０の第１のポイントにカーソル１２９が形成される(ステップ３２０)。第１のポイントはタッチスクリーンの任意の位置にあらかじめ決定されてもよい。しかし、カーソル１２９の垂直／水平移動性を考慮する時、タッチスクリーンの中央部に第１のポイントが位置することが好ましい。移動通信端末のユーザーはディスプレイ上でそのタッチを維持することにより所定ラインに沿ってタッチされたポイントを移動させる(ステップＳ３３０)。
【００３１】
図２Ｃを参照すれば、カーソル１２９は上述したタッチされたポイントとカーソルの間の初期距離を維持しながら移動して、ユーザーのタッチラインと同一なラインを形成する(ステップＳ３４０)。移動通信端末１００のユーザーはカーソル１２９がターゲット音楽アイテム１２８に位置されるまでカーソル１２９の移動ラインに基づいてタッチされたポイントを他のポイントに移動させることができる。カーソル１２９がターゲット音楽アイテム１２８に位置されないと、上述の処理が反復される(ステップＳ３５０)。
【００３２】
カーソル１２９がターゲット音楽アイテム１２８に位置されると、移動通信端末１００のユーザーはタッチスクリーン１２０から指をはなして(ステップＳ３６０)、図２Ｄに示したように、上述のターゲット音楽アイテム１２８が選択される(ステップＳ３７０)。以上、説明したように、ユーザーがタッチスクリーン１２０上で第１のポイントをタッチすると、これに対応するカーソルが生成される。ユーザーがタッチスクリーン１２０から指をはなせば、カーソル１２９は消えて、それと同時に該当カーソル位置に対応するアイテムが選択される。
【００３３】
一部の実施形態では、ユーザーがスクリーンをタッチする以前にタッチスクリーン１２０上にカーソルが表示されてもよい。また、一部の実施形態では、ユーザーがタッチスクリーン１２０から指をはなす時、ターゲット音楽アイテム１２８が選択されない。例えば、ターゲット音楽アイテム１２８はユーザーが指をはなした後に移動通信端末１００の付加的な入力部１３０により選択できる。
【００３４】
以下、本発明の好ましい第２の実施形態について、図４Ａ乃至図４Ｅ及び図５を参照して説明する。図４Ａ乃至図４Ｅは、好ましい第２の実施形態による移動通信端末に表示されるイメージの例を示す。図４Ａに示したように、好ましい第２の実施形態による移動通信端末１００のタッチスクリーン１２０は、イコライザー領域１２３と、ＭＰＥ音楽ファイル再生領域１２５と、ＭＰ３音楽ファイルリスト領域１２７と、を含む。
【００３５】
好ましい第２の実施形態によれば、カーソルにより選択される希望するアイテムがタッチスクリーン１２０に表示されるように環境設定データをあらかじめ設定することが好ましい。例えば、図４Ａに示すように、移動通信端末１００のユーザーが指を使用してタッチスクリーン１２０上の所定ポイントをタッチする(ステップＳ５１０)。その結果、ユーザーによりタッチされたポイントから所定距離と位置が離れた第１のポイントにカーソル１２９が表示される(ステップＳ５２０)。
【００３６】
カーソル１２９がタッチされたポイントから所定距離と位置が離れた位置に表示される理由は、ユーザーの指によりタッチされる位置にカーソル１２９が位置される場合、ユーザーの指がカーソル１２９を完全にまたは一部を覆ってしまうことを防止するためである。しかし、本発明によるカーソルの位置は、例えば、図４Ｂに示したように、おおよそ１０時方向に設定するなど、任意の位置に設定してもよい。
【００３７】
一実施形態で、移動通信端末のユーザーは、上述したタッチされた位置をおおよそ５時方向などの他の位置に移動させて上述のターゲット音楽アイテム１２８を選択することができる。しかし、ターゲット音楽アイテム１２８が右側下端部に位置する場合、タッチされたポイントはカーソルをターゲット音楽アイテム１２８上に残すためにタッチスクリーン領域の外部に位置しなければならないので、カーソル１２８をターゲット音楽アイテム１２８に置くためにタッチされた位置を他の位置に完全に移動させることは難しい。
【００３８】
言い替えると、アイテムがスクリーンのコーナーにまたは境界付近に位置する場合、デッドゾーンが生じて、ユーザーはデッドゾーンに表示されるオブジェクトの上にカーソルを移動させることができなくなる。デッドゾーンに関連する問題点を解決するため、本発明の好ましい第２の実施形態は、ユーザーがデッドゾーン領域内でカーソルの位置を調整できるようにする方法を提供する。
【００３９】
実施形態によって、カーソルの位置を調整するための多様な方法が採択できる。例えば、一つ以上の実施形態では、デッドゾーンに位置したターゲット音楽項目を正確に選択するためにカーソルの位置が適切であるか否かを判定する(ステップＳ５３０)。カーソルの位置が不適切であれば、移動通信端末１００のユーザーは、例えば、タッチスクリーン１２０を所定時間間隔で(例えば、約０.５秒以下の間隔で)タッピングすることによりカーソル位置を調整する。
【００４０】
その結果、カーソルの位置は、例えば、図４Ｃに示したように、時計方向に回転する。移動通信端末１００のユーザーは、カーソルの位置がディスプレイ上の希望する位置に到逹するまでタッチスクリーン１２０をずっとタッピングする。カーソルの位置が希望する位置に到達すれば、移動通信端末のユーザーは、図４Ｄに示したように、タッチスクリーン１２０をタッピングすることを中止する。
【００４１】
移動通信端末のユーザーはタッチスクリーン１２０上からタッチ状態を維持することによりタッチされたポイントを他のポイントに移動させて、カーソルがターゲット音楽アイテム１２８に位置されるようにしてもよい(ステップＳ５５０)。カーソルがターゲット音楽アイテム１２８に位置されないと(ステップＳ５７０)、上述したステップＳ５３０乃至ステップＳ５６０が反復される。カーソルがターゲット音楽アイテム１２８に位置すると、移動通信端末１００のユーザーはタッチスクリーン１２０から指をはなし(ステップＳ５８０)、図４Ｅに示したように、上述のターゲット音楽アイテム１２８が選択される(ステップＳ５９０)。
【００４２】
以上、説明したように、上述の本発明の好ましい第２の実施形態は、カーソルが形成された以後、ユーザーがタッチされたポイントを他のポイントに移動させる以前に実行されるカーソルの位置調整方法を開示する。しかし、上述のカーソルの位置調整はユーザーがタッチされたポイントを新しいポイントに移動させる間、またはユーザーの指が新しい位置に完全に配置された以後に実行されてもよい。
【００４３】
また、ユーザーがタッチスクリーン１２０から指をはなす時にターゲット音楽アイテム１２８が選択されてもよく、また、移動通信端末１００の付加的入力部により選択されてもよい。
【００４４】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００４５】
【図１】本発明の一実施形態による移動通信端末の構成要素を示すブロック図である。
【図２Ａ】好ましい第１の実施形態によるアイテム選択方法を例示する図である。
【図２Ｂ】好ましい第１の実施形態によるアイテム選択方法を例示する図である。
【図２Ｃ】好ましい第１の実施形態によるアイテム選択方法を例示する図である。
【図２Ｄ】好ましい第１の実施形態によるアイテム選択方法を例示する図である。
【図３】好ましい第１の実施形態によるアイテム選択方法を示すフローチャートである。
【図４Ａ】好ましい第２の実施形態によるアイテム選択方法を説明するための移動通信端末の一例を示した図である。
【図４Ｂ】好ましい第２の実施形態によるアイテム選択方法を説明するための移動通信端末の一例を示した図である。
【図４Ｃ】好ましい第２の実施形態によるアイテム選択方法を説明するための移動通信端末の一例を示した図である。
【図４Ｄ】好ましい第２の実施形態によるアイテム選択方法を説明するための移動通信端末の一例を示した図である。
【図４Ｅ】好ましい第２の実施形態によるアイテム選択方法を説明するための移動通信端末の一例を示した図である。
【図５】好ましい第２の実施形態によるアイテム選択方法を示すフローチャートである。
【図１】
0005174375.tif 000002
【図２Ａ】
0005174375.tif 000003
【図２Ｂ】
0005174375.tif 000004
【図２Ｃ】
0005174375.tif 000005
【図２Ｄ】
0005174375.tif 000006
【図３】
0005174375.tif 000007
【図４Ａ】
0005174375.tif 000008
【図４Ｂ】
0005174375.tif 000009
【図４Ｃ】
0005174375.tif 000010
【図４Ｄ】
0005174375.tif 000011
【図４Ｅ】
0005174375.tif 000012
【図５】
0005174375.tif 000013